(57)【要約】      （修正有）【課題】所定のアンダーカット部を形成しなくても、所望の気密性を確保することが可能であり揺動防止機能を確保することも可能な気密キャップを提供する。【解決手段】内周部から内側に突出して形成され軸体の外周部に密着することにより軸体の先端部に係る空間における気密を確保する環状凸部２と、少なくとも環状凸部２より開口端側に所定長さ離れた部位を含む内周部に形成され軸体の外周部を横方向から受けることにより環状凸部２を支点とする揺動を防止する揺動防止部３とを備えた有頂筒状の気密キャップであって、揺動防止部３は、環状凸部２より開口端側に所定長さ離れた部位から環状凸部２に係る部位までの開口端側中間区間１１において連続するように軸線方向に延びており、かつ、開口端側中間区間１１の全長に亘って略同一の横断面形状その他の強制離型を回避し得る形状に形成されている。【選択図】図１
0003124446.tif 000002
【実用新案登録請求の範囲】
【請求項１】
内周部から内側に突出して形成され軸体の外周部に密着することにより軸体の先端部に係る空間における気密を確保する環状凸部と、前記環状凸部より開口端側に係る内周部に形成され前記軸体の外周部を横方向から受けることにより該環状凸部を支点とする揺動を防止する揺動防止部とを備えた有頂筒状の気密キャップであって、
前記揺動防止部は、前記環状凸部より開口端側に所定長さ離れた部位から該環状凸部に係る部位までの開口端側中間区間において連続するように軸線方向に延びており、かつ、該開口端側中間区間の全長に亘って略同一の横断面形状その他の強制離型を回避し得る形状に形成されていることを特徴とする気密キャップ。
【請求項２】
前記環状凸部より先端側に係る部分が、該環状凸部に係る部位から該環状凸部より先端側に所定長さ離れた部位までの先端側中間区間と、前記環状凸部より先端側に所定長さ離れた部位から先端側に係る先端側区間とを有しており、
前記先端側中間区間及び前記先端側区間のいずれもが軸体断面形状と略相似である内空断面形状に形成されており、
前記先端側中間区間における内径寸法が前記軸体の外径寸法に対し僅かに大きく設定されており、
前記先端側区間における内径寸法が前記軸体の外径寸法に対し小さく設定されていることを特徴とする請求項１に記載の気密キャップ。
【請求項３】
前記揺動防止部は、前記軸体の外周部の先端縁を前記環状凸部の開口端側に当接又は近接させたとき、当該軸体の外周部に対しそれがその自重によって落下しないように保持力を発揮するものであることを特徴とする請求項１又は２に記載の気密キャップ。
【請求項４】
前記揺動防止部は、前記軸体の外周部の先端縁を前記環状凸部の開口端側に当接又は近接させたとき、当該軸体の軸線を前記開口端側中間区間の軸線方向に拘束する長さ寸法を有していることを特徴とする請求項１〜３のいずれか一項に記載の気密キャップ。
【考案の詳細な説明】
【技術分野】
【０００１】
本考案は、例えばブラシペン等のペン型化粧品の軸体、筆記具の軸体その他の軸体内に充填される固形化粧料や顔料等の揮発性内容物の乾燥固化を防止する目的で用いられる気密キャップに関する。
【背景技術】
【０００２】
従来の気密キャップとしては、例えば内周部から内側に突出して形成され軸体の外周部に密着することにより軸体の先端部に係る空間における気密を確保する環状凸部と、環状凸部より開口端側に所定長さ離れた部位を含む内周部に形成され軸体の外周部を横方向から受けることにより環状凸部を支点とする揺動を防止する揺動防止部とを備えた有頂筒状の気密キャップが開示されている（例えば、特許文献１参照）。
【特許文献１】特開平１１−１７０７６０号公報
【考案の開示】
【考案が解決しようとする課題】
【０００３】
このような従来の気密キャップによれば、気密キャップの内周面における環状凸部を軸体の外周部に密着させる方法により軸体の先端部に係る空間における気密が確保されるため、気密キャップの内周面を軸体の外周面に分散的に密着させる方法と異なり、気密キャップの環状凸部の軸体の外周部への密着を集中的かつ効果的なものとすることが可能となり、その結果、長期間に亘って経時的に優れた気密性を確保することが可能となる。
【０００４】
ところで、気密キャップのような有頂円筒形状の成形品にアンダーカット部がある場合には、強制離型が困難となるところ、かかる従来の気密キャップにあっては、環状凸部に係る部位から環状凸部より先端側に所定長さ離れた部位までの先端側中間区間、及び、環状凸部に係る部位から環状凸部より開口端側に所定長さ離れた部位までの開口端側中間区間においてアンダーカット部が不可避的に形成される。
【０００５】
ここで、先端側中間区間におけるアンダーカット部は、開口端側において集中的かつ効果的な密着状態を確保する環状凸部を形成し、先端側において軸体の先端側部分がそれが嵌着している気密キャップの内周部から簡単に抜脱しないようにしながら気密キャップ内における軸体の進入限を確保するものである。
【０００６】
したがって、このような役割を果たすものであれば、先端側中間区間におけるアンダーカット部は、比較的短い区間寸法に形成することが可能であり、しかも比較的浅い深さ寸法に形成することが可能である。すなわち、従来の気密キャップの先端側中間区間におけるアンダーカット部に対しては、強制離型によって十分に対応可能である。
【０００７】
これに対し、開口端側中間区間におけるアンダーカット部は、開口端側において軸体の外周部を横方向から受けることにより環状凸部を支点とする揺動を防止する揺動防止部を形成し、先端側において集中的かつ効果的な密着状態を確保する環状凸部を形成するものである。
【０００８】
したがって、開口端側中間区間におけるアンダーカット部は、先端側中間区間におけるアンダーカット部と異なり、比較的長い区間寸法に形成することが好ましく、加えて、揺動防止部の高さを環状凸部の高さと揃えて揺動防止の完全化を図る観点からすれば比較的深い深さ寸法に形成することが好ましい。すなわち、従来の気密キャップの開口端側中間区間におけるアンダーカット部に対しては、強制離型によって対応することは材料の弾性を利用しても困難となる場合が少なくなく、かかる場合に無理に強制離型によって対応しようとすると、強制離型に起因する品質劣化を生じてしまうこととなる。
【０００９】
そこで、本考案の課題は、材料の弾性を利用しても強制離型が困難となるようなアンダーカット部を形成しなくても、環状凸部を軸体の外周部に密着させる方法により気密性を確保することが可能であり、かつ、環状凸部を支点とする揺動を防止する揺動防止機能を確保することも可能な気密キャップを提供することにある。
【課題を解決するための手段】
【００１０】
上記課題を解決するため、本考案に係る気密キャップは、内周部から内側に突出して形成され軸体の外周部に密着することにより軸体の先端部に係る空間における気密を確保する環状凸部と、環状凸部より開口端側に係る内周部に形成され軸体の外周部を横方向から受けることにより環状凸部を支点とする揺動を防止する揺動防止部とを備えた有頂筒状の気密キャップであって、揺動防止部は、環状凸部より開口端側に所定長さ離れた部位から環状凸部に係る部位までの開口端側中間区間において連続するように軸線方向に延びており、かつ、開口端側中間区間の全長に亘って略同一の横断面形状その他の強制離型を回避し得る形状に形成されていることを特徴としている。
【００１１】
ここで、環状凸部より開口端側に所定長さ離れた部位とは、軸体の外周部を横方向から受ける方法により環状凸部を支点とする軸体の揺動を防止するという目的の達成にとって十分な長さ寸法離れた部位を意味している。
【００１２】
このような気密キャップによれば、環状凸部、及び、開口端側中間区間で連続的に延びており、しかも開口端側中間区間の全長に亘って略同一の横断面形状等に形成された揺動防止部を備えることとしたので、材料の弾性を利用しても強制離型が困難となるようなアンダーカット部を形成しなくても、環状凸部を軸体の外周部に密着させる方法により気密性を確保することが可能であり、かつ、環状凸部を支点とする揺動を防止する揺動防止機能を確保することが可能である。
【００１３】
このような技術的手段において、軸体の先端側部分がそれが嵌着している気密キャップの内周部から簡単に抜脱しないようにしながら気密キャップ内における軸体の進入限を確保する機能を付加することとして、長期間に亘って経時的に優れた気密性をより安定的に確保しようとする観点からすれば、環状凸部より先端側に係る部分が、環状凸部に係る部位から環状凸部より先端側に所定長さ離れた部位までの先端側中間区間と、環状凸部より先端側に所定長さ離れた部位から先端側に係る先端側区間とを有しており、先端側中間区間及び先端側区間のいずれもが軸体断面形状と略相似である内空断面形状に形成されており、先端側中間区間における内径寸法が軸体の外径寸法に対し僅かに大きく設定されており、先端側区間における内径寸法が軸体の外径寸法に対し小さく設定されていることが好ましい。
【００１４】
また、本気密キャップ及び軸体の装着について仮装着及び本装着という段階的な装着を行う場合において仮装着から本装着への移行が円滑かつ確実に行い得るようにして、キャップを軸体に装着するに当たっての使用者の負担を軽減しようとする観点からすれば、揺動防止部は、軸体の外周部の先端縁を環状凸部の開口端側に当接又は近接させたとき、当該軸体の外周部に対しそれがその自重によって落下しないように保持力を発揮するものであることが好ましく、又は、軸体の外周部の先端縁を環状凸部の開口端側に当接又は近接させたとき、当該軸体の軸線を開口端側中間区間の軸線方向に拘束する長さ寸法を有していることが好ましい。
【考案の効果】
【００１５】
本考案に係る気密キャップによれば、材料の弾性を利用しても強制離型が困難となるようなアンダーカット部を形成しなくても、環状凸部を軸体の外周部に密着させる方法により気密性を確保することが可能であり、かつ、環状凸部を支点とする揺動を防止する揺動防止機能を確保することも可能である。
【考案を実施するための最良の形態】
【００１６】
以下、添付図面に基づいて本考案の実施の形態を詳細に説明する。
【００１７】
図１は本考案の一実施の形態に係る気密キャップの全体構成を示す縦断面図、図２は図１におけるＡ−Ａ断面図、図３は同気密キャップの作用を説明する縦断面図（気密時）、図４は図３におけるＡ−Ａ断面図、図５は同気密キャップの作用を説明する縦断面図（非気密時）である。
【００１８】
本実施の形態において、気密キャップは、例えば化粧用鉛筆の軸体４に充填された揮発性内容物たる固形化粧料４ａの乾燥固化を防止する機能を果たすペン型化粧品用の気密キャップである。
【００１９】
具体的には、この気密キャップは、図１〜図５に示すように、キャップ本体１と、環状凸部２と、揺動防止部３とを備えたものとして構成されている。
【００２０】
以下、この気密キャップの有する各構成要素についてさらに詳細に説明する。
【００２１】
（１）キャップ本体１
キャップ本体１は、プラスチック、金属、これらの複合材料その他の材料からなり、図１〜図５に示すように、有頂筒状（例えば円筒状）に形成されたものとして構成されている。
【００２２】
本実施の形態におけるキャップ本体１は、従来の気密キャップと同様に、後述する環状凸部２とともに、化粧用鉛筆の軸体４の先端部に係る空間における気密を確保することにより軸体４の先端部において露出状態にある揮発性内容物たる固形化粧料４ａの乾燥固化を防止する役割を果たすものである。
【００２３】
なお、キャップ本体１は、化粧用鉛筆の軸体４の先端部において露出状態にある固形化粧料４ａによる衣服や鞄内部への汚染等を防止する役割を果たすことは勿論のことである。
【００２４】
（２）環状凸部２
環状凸部２は、図１、図３及び図５に示すように、内周部から内側に突出し、かつ、周方向に連続して延びることにより環状（例えば円環状）に形成されたものとして構成されている。
【００２５】
本実施の形態における環状凸部２は、これらの図に示すように、キャップ本体１と一体に成形されたものであり、キャップ本体１と同様な材料である、プラスチック、金属、これらの複合材料その他の材料からなるものとして構成されている。
【００２６】
具体的には、環状凸部２は、軸体４の断面形状（例えば円形）と略相似である内空断面形状（例えば円形）に形成されている（図３、図４及び図５参照）。ここで、環状凸部２における内径寸法は、軸体４の外径寸法に対し僅かに小さく設定されている（これらの図参照）。
【００２７】
すなわち、この環状凸部２は、従来の気密キャップと同様に、軸体４の外周部に密着することにより、軸体４の先端部に係る空間における気密を確保する役割を果たすものとして構成されている（これらの図参照）。
【００２８】
したがって、このような役割を果たすものであれば、本考案においてキャップ本体１と一体に成形された環状凸部２の代わりに、キャップ本体１の内周部に固着されたキャップ本体１と別体の環状部材（例えばＯリング）その他の環状凸部を用いることが可能である。
【００２９】
（３）揺動防止部３
揺動防止部３は、図１、図２及び図４に示すように、少なくとも環状凸部２より開口端側に所定長さ離れた部位を含む内周部に形成されたものとして構成されている。
【００３０】
すなわち、この揺動防止部３は、従来の気密キャップと同様に、軸体４の外周部を横方向から受けることにより、環状凸部２を支点とする揺動を防止する役割を果たすものとして構成されている（これらの図参照）。
【００３１】
本実施の形態において、揺動防止部３は、図１及び図２に示すように、開口端側中間区間１１において連続するように軸線方向に延びており、かつ、開口端側中間区間１１の全長に亘って略同一の横断面形状に形成されている。ここで、開口端側中間区間１１とは、環状凸部２より開口端側に所定長さ離れた部位から環状凸部２に係る部位までのキャップ本体１の部分を意味している。
【００３２】
このように、揺動防止部３に、開口端側中間区間１１に連続して軸線方向に延びており、かつ、開口端側中間区間１１の全長に亘って略同一の横断面形状に形成されたものであることを要求するのは、揺動防止部３の形状として強制離型を確実に回避し得る形状を採用することにより、材料の弾性を利用しても強制離型が困難となるようなアンダーカット部を形成しなくても環状凸部２を軸体４の外周部に密着させる方法により気密性を確保することが可能であり、かつ、環状凸部２を支点とする揺動を防止する揺動防止機能を確保することも可能な気密キャップとするためである。したがって、このような役割を果たすものであれば、本考案において開口端側中間区間１１の全長に亘って略同一の横断面形状に形成された揺動防止部３の代わりに、開口端側中間区間１１を開口端側に向かうに伴い段階的に又は徐々に小さい横断面形状に形成される揺動防止部その他の強制離型を回避し得る形状に形成された揺動防止部を用いても差し支えない。
【００３３】
具体的には、図１〜図４に示すように、複数の揺動防止部３が、開口端側中間区間１１においてキャップ本体１の内周部から内側に向かって突出するとともに軸線方向に延びるように周方向に適宜間隔に設けられている。このように、揺動防止部３を、周方向の全体に亘って形成されたものとせずに周方向に適宜間隔で設けられた複数の揺動防止部３としたのは、隣り合う揺動防止部３どうしの間に複数の溝部が形成されるようにすることにより、キャップ本体１を軸体４に装着に当たってポンプアップ現象を生じさせないことが可能な気密キャップとするためである。
【００３４】
本実施の形態において、環状凸部２より先端側に係るキャップ本体１の部分は、図１、図３及び図５に示すように、先端側中間区間１２と、先端側区間１３とを有している。ここで、先端側中間区間１２とは、環状凸部２に係る部位から環状凸部２より先端側に所定長さ離れた部位までのキャップ本体１の部分を意味している。また、先端側区間１３とは、環状凸部２より先端側に所定長さ離れた部位から先端側に係るキャップ本体１の部分を意味している。
【００３５】
そして、図示しないが、先端側中間区間１２及び先端側区間１３のいずれもが、軸体４断面形状と略相似である内空断面形状に形成されている。ここで、先端側中間区間１２における内径寸法は、軸体４の外径寸法に対し僅かに大きく設定されている。また、先端側区間１３における内径寸法は、軸体４の外径寸法に対し小さく設定されている。
【００３６】
このような気密キャップにより、軸体４の先端側部分がそれが嵌着している気密キャップの内周部から簡単に抜脱しないようにしながら気密キャップ内における軸体４の進入限を確保する機能を付加することが可能となっており、その結果、長期間に亘って経時的に優れた気密性をより安定的に確保することが可能となっている。
【００３７】
また、本実施の形態における揺動防止部３は、軸体４の外周部の先端縁を環状凸部２の開口端側に当接又は近接させたとき（図５参照）、当該軸体４の外周部に対しそれがその自重によって落下しないように保持力を発揮するものとして構成されている。
【００３８】
このような気密キャップにより、本気密キャップ及び軸体４の装着について仮装着及び本装着という段階的な装着を行う場合において仮装着から本装着への移行を円滑かつ確実に行うことが可能となっており、その結果、キャップを軸体４に装着するに当たっての使用者の負担を軽減することが可能となっている。
【００３９】
加えて、本実施の形態における揺動防止部３は、軸体４の外周部の先端縁を環状凸部２の開口端側に当接又は近接させたとき（図５参照）、当該軸体４の軸線を開口端側中間区間１１の軸線方向に拘束する長さ寸法を有しているものとして構成されている。
【００４０】
このような気密キャップにより、本気密キャップ及び軸体４の装着について仮装着及び本装着という段階的な装着を行う場合において仮装着から本装着への移行をより円滑かつ確実に行うことが可能となっており、その結果、キャップを軸体４に装着するに当たっての使用者の負担をより軽減することが可能となっている。
【００４１】
上記したように、本実施の形態に係る気密キャップにあっては、環状凸部２と、開口端側中間区間１１で連続的に延びており、しかも開口端側中間区間１１の全長に亘って略同一の横断面形状等に形成された揺動防止部３を備えることとしている。
【００４２】
したがって、このような気密キャップによれば、材料の弾性を利用しても強制離型が困難となるようなアンダーカット部を形成しなくても、環状凸部２を軸体４の外周部に密着させる方法により気密性を確保することが可能となっており、しかも環状凸部２を支点とする揺動を防止する揺動防止機能を確保することも可能となっている。
【００４３】
以上、本考案に係る気密キャップの一実施の形態としての化粧用鉛筆に用いられる気密キャップについて説明したが、本考案はこのような実施の形態に限定されるものではない。例えばブラシペン等のペン型化粧品用の気密キャップに適用してもよいし、軸体内に揮発性内容物たる顔料等が充填された筆記具用の気密キャップに適用してもよい。
【図面の簡単な説明】
【００４４】
【図１】本考案の一実施の形態に係る気密キャップの全体構成を示す縦断面図である。
【図２】図１におけるＡ−Ａ断面図である。
【図３】同気密キャップの作用を説明する縦断面図（気密時）である。
【図４】図３におけるＡ−Ａ断面図である。
【図５】同気密キャップの作用を説明する縦断面図（非気密時）である。
【符号の説明】
【００４５】
１ キャップ本体
２ 環状凸部
３ 揺動防止部
４ 軸体
４ａ 固形化粧料
１１ 開口端側中間区間
１２ 先端側中間区間
１３ 先端側区間
【図１】
0003124446.tif 000003
【図２】
0003124446.tif 000004
【図３】
0003124446.tif 000005
【図４】
0003124446.tif 000006
【図５】
0003124446.tif 000007